(57)【要約】【課題】本発明は、風抜け口を大きくできる雨よけシートを提供する。【解決手段】雨よけシート１のシート本体２には、第１の辺部２ａに対して平行に延在する通気開口２０が形成され、通気開口２０は、複数個(例えば７個)並設されると共に、シート本体２の全幅に渡って延在している。各通気開口２０は、複数の通気孔２１ａを有する開口封鎖部２１によって覆われ、各フィン２２は、表側で各開口封鎖部２１を覆うようにそれぞれ取り付けられている。開口封鎖部２１は、縫合によってシート本体２に固定されることで通気開口２０を覆っている。それぞれのフィン２２は、第１の辺部２ａ側の端部、第３の辺部２ｃ側の端部、第４の辺部２ｄ側の端部で開口封鎖部２１に縫合により固定され、第２の辺部２ｂ側の遊端部２２ａがシート本体２に対して遊離して、この遊離部分が風抜け口Ｓになっている。【選択図】図１
2011042969.tif 000002
【特許請求の範囲】
【請求項１】
建物の躯体内に雨が侵入するのを防止する雨よけシートにおいて、
設置時に上下で互いに平行な第１及び第２の辺部と、設置時に左右で互いに平行な第３及び第４の辺部とを有する矩形のシート本体は、
上側に位置する前記第１の辺部に対して平行に延在する通気開口と、
この通気開口を覆って配置されると共に、複数の通気孔を有する開口封鎖部と、
前記開口封鎖部を外側から覆うように取り付けられていると共に、風抜け口を作るために、下側に位置する前記第２の辺部側の端部が前記シート本体に対して遊離しているフィンと、を備えていることを特徴とする雨よけシート。
【請求項２】
前記第１の辺部の近傍には、前記建物の躯体の頂部に設けられている磁性体部に固着される磁石が設けられていることを特徴とする請求項１記載の雨よけシート。
【請求項３】
前記建築工事用足場の横桟に掛けられて、庇のように設置されることを特徴とする請求項１又は２記載の雨よけシート。
【請求項４】
前記シート本体の前記第３の辺部の近傍には、隣接して配置される他のシート本体の辺部に覆い被さる継ぎ目隠し片が設けられていることを特徴とする請求項１〜３の何れか一項記載の雨よけシート。
【請求項５】
前記継ぎ目隠し片には、建築工事用足場の縦桟の挿入が可能な切り込み部が形成されていることを特徴とする請求項４記載の雨よけシート。
【請求項６】
前記継ぎ目隠し片には、面ファスナの一方のファスナ部が固定され、前記第４の辺部の近傍には、前記面ファスナの他方のファスナ部が固定されていることを特徴とする請求項４又は５記載の雨よけシート。
【発明の詳細な説明】
【技術分野】
【０００１】
本発明は、建物の施工において、建物の躯体内に雨が侵入するのを防止するために利用される雨よけシートに関するものである。
【背景技術】
【０００２】
一般に建物の施工において、建物の内部の建材を濡らさないためには、躯体の防水工事や雨樋の設置を終えてから、内部・内装工事を行うことが望ましい。ここで、防水工事に関して、屋根面やベランダ面には、ルーフィング・防水シート敷設工事を行い、外壁面では、外装パネルを取り付けて、パネル間の隙間にシーリングが打設される。ところで、屋根防水については比較的早い段階で、仕上げ用の防水シート敷設の下地面としてルーフィングシートを用いて１次防水（仮防水）を行うことが一般的である。しかし、内部・内装工事に関しては、屋根から流れ出た雨水を排水するための雨樋の設置工事を行った後に行われているので、配管設置工事等を伴うこのような工事は所定の時間を要し、必然的に内部・内装工事への移行も約２週間前後の期間を費やし、建築工程上のクリティカルパスとなっている。このような期間は、建物の全体の工期に占める割合が大きく、建物完成までの工期短縮のために、雨樋完成前に内部・内装工事に着手したいという要望がある。
従来の技術として、特開２００６−１１８１２１号公報（特許文献１）がある。この公報に記載された雨よけシート(養生シート)は、建設現場の足場の外側に張設して利用され、シートの上端に固定されたランナーが、足場の横桟に沿って配置されたレールに引っ掛けられていることで、必要に応じてシートを広げたり束ねたりすることができる。
【先行技術文献】
【特許文献】
【０００３】
【特許文献１】特開２００６−１１８１２１号公報
【特許文献２】特開平１１−２６４２５２号公報
【特許文献３】特開２００５−３３０７５６号公報
【発明の概要】
【発明が解決しようとする課題】
【０００４】
前述した従来の雨よけシートでは、強風時にバタつきが起こり易く、雨よけシートがレールに沿って開いたり、外れたりする虞があるので、雨よけシートのハトメを利用して、雨よけシートを紐などで足場にしっかりと固定させる必要がある。そして、雨よけシートがしっかりと足場に固定されていると、強風時に、紐が外れなくても、ハトメの周囲が破れることがあるので、シート生地の強度を上げるか、ハトメの周囲を補強する必要がある。
そこで、特開２００５−３３０７５６号公報（特許文献３）のように、シート帯を横一列に並べた状態で、シート帯に等間隔で風抜き口を設けるようにしてもよい。しかしながら、風抜き口を大きくすると、後側のシート帯の遊端側が前側のシート帯の下に潜り込み易くなり、その結果として、雨が躯体内に侵入し易くなるといった問題点がある。
【０００５】
本発明は、風抜け口を大きくできる雨よけシートを提供することを目的とする。
【課題を解決するための手段】
【０００６】
本発明は、建物の躯体内に雨が侵入するのを防止する雨よけシートにおいて、
設置時に上下で互いに平行な第１及び第２の辺部と、設置時に左右で互いに平行な第３及び第４の辺部とを有する矩形のシート本体は、
上側に位置する第１の辺部に対して平行に延在する通気開口と、
この通気開口を覆って配置されると共に、複数の通気孔を有する開口封鎖部と、
開口封鎖部を外側から覆うように取り付けられていると共に、風抜け口を作るために、下側に位置する第２の辺部側の端部がシート本体に対して遊離しているフィンと、を備えていることを特徴とする。
【０００７】
風によってフィンの遊端が通気開口から内側に入ってしまうと、雨が躯体内に侵入してしまう。そこで、本発明に係る雨よけシートにおいては、複数の通気孔を有する開口封鎖部で通気開口が覆われているので、フィンの第２の辺部側の遊端が通気開口から内側に入ってしまうことがなく、雨が躯体内に侵入することを防止することできる。しかも、通気開口を小さくすると、フィンの遊端部が通気開口から入り難くなるが、複数の通気孔を有する開口封鎖部を採用することで、風抜け口を大きくすることができ、雨よけシートが風によって非常に煽られ難なる。
【０００８】
また、第１の辺部の近傍には、建物の躯体の頂部に設けられている磁性体部に固着される磁石が設けられていると好適である。
風に雨よけシートが煽られて、雨よけシートが外れないようにするためには、磁石を強くすれば良いが、磁石を強くすると、雨よけシートを取り外すときに強い力が必要になって、作業性が悪くなり、無理な力によって雨よけシートが破れる虞もある。そこで、フィンから風を逃がす構成を採用することで、磁力を弱くしても、雨よけシートが風に煽られて外れなくなる。つまり、磁石を採用する場合には、雨よけシートにフィンが設けられると雨よけシートの最適化が図られることになる。
【０００９】
また、建築工事用足場の横桟に掛けられて、庇のように設置されると好適である。
このような構成を採用すると、吹き付け塗装などの外壁作業を行いやすく、しかも、雨よけシートが建物に対して庇のようになるので、雨よけシートを建物の上から地面まで垂らすようにしなくても、強風を伴う雨で無い限り、その機能を十分果たすことができる。従って、雨よけシートをこのように設置させることで、シート本体の全長を短くでき、軽量化が図られて、持ち運びが容易になる。
【００１０】
また、シート本体の第３の辺部の近傍には、隣接して配置される他のシート本体の辺部に覆い被さる継ぎ目隠し片が設けられていると好適である。
このような構成を採用すると、隣接する雨よけシート間の隙間を継ぎ目隠し片で塞ぐことができるので、雨よけシート間の隙間から雨水などの侵入を防止することができる。
【００１１】
また、継ぎ目隠し片には、建築工事用足場の縦桟の挿入が可能な切り込み部が形成されていると好適である。
このような構成を採用すると、足場の縦桟を避けるようにして雨よけシートを設置させることができ、雨よけシートを弛ませることなく、足場の横桟に掛けて庇のようにすることができる。
【００１２】
また、継ぎ目隠し片には、面ファスナの一方のファスナ部が固定され、第４の辺部の近傍には、面ファスナの他方のファスナ部が固定されていると好適である。
このような構成を採用すると、隣接する一方の雨よけシートのファスナ部と他方の雨よけシートのファスナ部とを面合わせるだけで、隣接する雨よけシート同士を簡単に接合することができる。
【発明の効果】
【００１３】
本発明によれば、風抜け口を大きくすることができる。
【図面の簡単な説明】
【００１４】
【図１】本発明に係る雨よけシートの一実施形態を示す平面図である。
【図２】図１のＩＩ−ＩＩ線に沿う断面図である。
【図３】建物の躯体と足場との間に渡って雨よけシートを配置した状態を示す断面図である。
【図４】工事中の建物を外から見た状態を示す斜視図である。
【図５】足場に掛けられた状態の雨よけシートを示す断面図である。
【図６】本発明に係る雨よけシートの他の実施形態を示す平面図である。
【発明を実施するための形態】
【００１５】
以下、図面を参照しつつ本発明に係る雨よけシートの好適な実施形態について詳細に説明する。
【００１６】
図１及び図２に示すように、建築工事用足場Ｂで囲まれた建物の躯体Ａ内に雨が侵入するのを防止するための雨よけシート１は、ポリエステル樹脂等の柔軟性があり、防水性、撥水性を有する材質からなる矩形のシート本体２を有している。この雨よけシート１は、足場Ｂの横桟３１に掛けられて庇のようにして利用されるので、足場Ｂにおける縦桟３５の左右方向の間隔や内外方向の本数を考慮して、このシート本体２の幅は、建物外壁面の幅に合わせ、設計モデュール寸法に基づいて、例えば、約３００〜１８００ｍｍであり、またシート本体２の長さは、庇の延長距離、ベランダ等の奥行きに合わせ設計モデュール寸法に基づいて、約９００〜１８００ｍｍが適切である。
【００１７】
このシート本体２は、躯体Ａへの設置時に外側(表側)から見た場合において、上側に位置する第１の辺部２ａと、第１の辺部２ａに対して平行で下側に位置する第２の辺部２ｂと、右側に位置する第３の辺部２ｃと、第３の辺部２ｃに対して平行で左側に位置する第４の辺部２ｄとで矩形をなしている。
【００１８】
シート本体２の第１の辺部２ａの近傍には、ネオジウムからなる磁石３が設けられている。第１の辺部２ａの近傍は、袋状に形成され、この内部には、第１の辺部２ａの全長に渡って延在する補強板４が延在し、この補強板４には、等間隔で円板状の磁石３が接着剤またはリベット等を介して固定されている。また、補強板４は、第１〜第３の補強部４ａ〜４ｃに等分されており、それぞれの第１〜第３の補強部４ａ〜４ｃ間には隙間６が設けられ、雨よけシート１の幅は広いので、この隙間６によって、雨よけシート１を折り畳む際の縦方向の折り目を作り易くしている。
【００１９】
シート本体２には、第１の辺部２ａに対して平行に延在する通気開口２０が形成され、通気開口２０は、複数個(例えば６個)並設されると共に、シート本体２の略全幅に渡って延在している。各通気開口２０は、裏側で開口封鎖部２１によって覆われている。この開口封鎖部２１には、メッシュ(編み目)状をなすように多数の通気孔２１ａが形成され、開口封鎖部２１の縁は、縫合によってシート本体２に固定されている。
【００２０】
各フィン２２は、水平ルーバー（鎧戸）状に表側で各開口封鎖部２１を覆うようにそれぞれ取り付けられている。それぞれのフィン２２は、第１の辺部２ａ側の端部、第３の辺部２ｃ側の端部、第４の辺部２ｄ側の端部で開口封鎖部２１に縫合により固定され、第２の辺部２ｂ側の遊端部２２ａは遊離して、この遊離部分が風抜け口Ｓになっている。
【００２１】
このような構成の雨よけシート１を製作する一例として、シート本体２に矩形の大きな開口３０を一個形成し、この開口３０を塞ぐように開口封鎖部２１の縁をシート本体２に縫合により固定する。そして、細長いフィン２２を、下から(第２の辺部２ｂ側から)順に開口封鎖部２１に縫合してゆき、第２の辺部２ｂ側の遊端部２２ａが前列のフィン２２の第１の辺部２ａ側の端部に重なるようにして、フィン２２を、第１の辺部２ａに向かって順次縫合し、６列のフィン２２を製作する。また、フィン２２の中央は、フィン２２の弛みを防止するために、第１の辺部２ａと第２の辺部２ｂとの間で延在する縫合部２６により、開口封鎖部２１に縫合されている。雨よけシート１はポリエステル樹脂等で柔軟な材質であり、１枚のシート本体２に６列のフィン２２が設けられ、フィン高さ寸法は第１の辺部２ａの長さ寸法に対して小さく設定されているので、通気開口２０の外側を覆って被るはずの遊端部２２ａが、シートの内側に入り込んでしまうおそれがある。
【００２２】
そこで、雨よけシート１においては、多数の通気孔２１ａを有する開口封鎖部２１で通気開口２０が覆われているので、フィン２２の第２の辺部２ｂ側の遊端部２２ａが通気開口２０から内側に入り込んでしまうことがなく、雨水が廻り込み、躯体Ａ内に侵入することを防止することできる。しかも、通気開口２０を小さくすると、フィン２２の遊端部２２ａが通気開口２０から入り難くなるが、多数の通気孔２１ａを有する開口封鎖部２１を採用することで、風抜け口Ｓを大きくすることができ、雨よけシート１が風によって非常に煽られ難なる。なお、開口封鎖部２１の通気孔２１ａの目は、雨が素通りしない程度が好ましい。
【００２３】
図３に示すように、建物の躯体Ａの頂部には、躯体である軸組が組み立てられ、軸組梁で形成された２階床面、屋根面に、軽量気泡コンクリートの規格寸法で形成された屋根パネル１０、床パネルを、それぞれ設置して屋根スラブ、床スラブを形成し、外周部には外壁パネル１１を設置して外壁面を形成する。屋根面全体には、仕上げ防水シートが張られた屋根パネル１０の縁１０ａから外壁パネル１１の上部に渡って延在してビスによって固定されている幕板(磁性体部)１２が配置され、この幕板１２は、鋼板からなり、屋根パネル１０と外壁パネル１１との隙間を埋めて、躯体Ａ内に水が侵入することを防止している。
【００２４】
このように、建物の躯体Ａの頂部に設けられている幕板１２が磁性体であることに着目し、この幕板１２を利用して、建物の躯体Ａの周囲に雨よけシート１を装着するために、矩形のシート本体２の第１の辺部２ａの近傍には磁石３が設けられている。この磁石３を、建物の躯体Ａの頂部に設けられている幕板１２に引っ付けることで、雨よけシート１を足場Ｂの横桟３１に庇のように簡単に掛けることがでる。しかも、磁石３を躯体Ａの幕板１２に付けたり外したりする作業を容易に行うことができるので、雨が降る直前や直後に、雨よけシート１を素早く装着することができる。
【００２５】
また、晴れた日に、太陽の光を建物の躯体Ａ内に取り込んで、内部・内装工事をしたい場合でも、雨よけシート１を躯体Ａから容易にかつ迅速に外すことができ、これによって、工事の作業効率を向上させることができる。しかも、雨よけシート１は、着脱が容易なので、幕板１２に取り付けられる雨樋が完成前であっても内部・内装工事に着手することができ、これによって、工期を短縮することができる。
【００２６】
また、躯体Ａの外壁面から水平方向に突出して庇のようになっている屋根パネル１０の縁１０ａより下側に位置する幕板１２の垂下部１２ａは、屋根パネル１０の縁１０ａの先端より奥まった位置にあるので、この垂下部１２ａに磁石３を装着すると、雨よけシート１の第１の辺部２ａから雨が侵入することを効果的に防止することができる。したがって、仮防水シートの屋根面全周の縁１０ａに向かって拡散した雨水は、雨よけシート１の表面側を伝って地盤面に滴下して処理されるのである。なお、屋根パネル１０の縁１０ａの上面に位置する幕板１２の水平部１２ｂに磁石３を装着することもできる。
【００２７】
図５に示すように、雨よけシート１を足場Ｂの横桟３１に庇のように掛けると、吹き付け塗装などの外壁作業を行いやすく、しかも、雨よけシート１が建物に対して庇のようになるので、雨よけシート１を建物の上から地面まで垂らすようにしなくても、強風を伴う雨で無い限り、その機能を十分果たすことができる。従って、雨よけシート１をこのように設置させることで、シート本体２の全長を短くでき、雨よけシート２の軽量化が図られて、持ち運びが容易になる。特に、躯体Ａのベランダ３３の腰壁３３ａ側では、足場Ｂが外壁パネル１１から遠く離れた位置に設置されるので、雨よけシート１を足場Ｂの横桟３１に掛けると、大きな庇を出現させることができる。雨よけシート１をこのように設置することは、ベランダ３３側では特に効果的である。
【００２８】
また、雨よけシート１が風に煽られて、雨よけシート１が外れないようにするためには、磁石３を強くすれば良いが、磁石３を強くすると、雨よけシート１を取り外すときに強い力が必要になって、作業性が悪くなり、無理な力によって雨よけシート１が破れる虞もある。そこで、フィン２２から風を逃がす構成を採用することで、磁石３を弱くしても、雨よけシート１が風に煽られて外れなくなる。つまり、磁石３を採用する場合には、雨よけシート１にフィン２２が設けられると雨よけシート１の最適化が図られることになる。
【００２９】
さらに、図１及び図２に示すように、シート本体２の第３の辺部２ｃの近傍には、第３の辺部２ｃの全長に渡って延在する継ぎ目隠し片７が縫合によって固定されている。この継ぎ目隠し片７の裏面の遊端には、面ファスナ８の雄側のファスナ部８ａが縫合によって固定され、第４の辺部２ｄ近傍でシート本体２の表面側には、面ファスナ８の雌側のファスナ部８ｂが縫合によって固定されている。面ファスナ８の例としては、いわゆるマジックテープ(登録商標)がある。
【００３０】
このような構成を採用すると、図４に示すように、隣接する雨よけシート１Ａ，１Ｂ間の隙間９を継ぎ目隠し片７で塞ぐことができるので、雨よけシート１Ａ，１Ｂ間の隙間９から雨水などの侵入を防止することができる。そして、一方の雨よけシート１Ａのファスナ部８ｂと他方の雨よけシート１Ｂのファスナ部８ａとを面合わせするだけで、継ぎ目隠し片７で隙間９を塞ぎつつ、隣接する雨よけシート１Ａ，１Ｂ同士を簡単に接合させることができる。なお、図４の足場の構成は、図３とはやや異なる構成であるため、雨よけシートの装着位置も異なるものである。
【００３１】
さらに、図１及び図２に示すように、継ぎ目隠し片７には、足場Ｂの縦桟３５(図３参照)の挿入が可能な切り込み部７ａが形成されている。この切り込み部７ａは、足場Ｂの縦桟３５を避けるようにして雨よけシート１を設置させることができ、雨よけシート１を弛ませることなく、足場Ｂの横桟３１に掛けて庇のようにすることができる。なお、符号１３は、躯体Ａのベランダ３３の腰壁３３ａから突出して足場Ｂに固定される足場繋ぎ部材である。
【００３２】
更に、シート本体２の第３の辺部２ｃ及び第４の辺部２ｄの近傍には、第３及び第４の辺部２ｃ，２ｄに沿って等間隔にハトメ１４，１５が設けられている。第３の辺部２ｃ側のハトメ１４は、継ぎ目隠し片７の裏側に隠されており、第４の辺部２ｄ側のハトメ１５については、露出してはいるが、ファスナ部８ｂと第４の辺部２ｄとの間に配置されているので、雨よけシート１Ａ，１Ｂ同士を面ファスナ８で接合した際には、ハトメ１５が継ぎ目隠し片７によって隠されることになるので、ハトメ１４，１５から雨が入ることが無くなる。
【００３３】
第３の辺部２ｃ側のハトメ１４と第４の辺部２ｄ側のハトメ１５とは、長さ方向において略同じ位置に設けられているので、一方の雨よけシート１Ａのハトメ１５と他方の雨よけシート１Ｂのハトメ１４とを紐で繋ぐことで、隣接する雨よけシート１Ａ，１Ｂ同士を簡単に接合させることができる。特に、面ファスナ８の接合力が弱くなった場合や、強風のときに効果的である。
【００３４】
更に、第２の辺２ｂ側において、シート本体２の両端には、足場Ｂの縦桟３５に雨よけシート１の下端を縛り付けるための紐部３６が取り付けられ、第２の辺２ｂ側におけるシート本体２の中央には、横桟３１にワンタッチ連結可能なスナップ型フック３７が取り付けられている。このスナップ型フック３７は、長さ調整自在なベルト３８の先端に固定され、ベルト３８の基端はシート本体２に縫合によって固定されている。紐部３６を足場Ｂの縦桟３５に縛り付けることで、雨よけシート１が風によって捲れ上がることを防止することができる。そして、フック３７は、横桟３１に固定されたリング状のワイヤ３９(図５参照)に対して着脱自在であり、フック３７を足場Ｂに取り付けておくことで、紐部３６や磁石３が外れてしまった場合でも、雨よけシート１が風に乗って飛んでいってしまうことを防止することができる。
【００３５】
本発明は、前述した実施形態に限定されないことは言うまでもない。
【００３６】
例えば、図６に示すように、他の雨よけシート４０は、躯体Ａの外壁パネル１１に沿って屋根から地面まで垂らすように利用され、このような長尺な雨よけシート４０であっても、複数の通気孔４１ａを有する開口封鎖部４１及びフィン４２を設けることができる。雨よけシート４０には、矩形の通気開口４３が形成され、この通気開口４３を裏側から塞ぐように開口封鎖部４１がシート本体４４に縫合されている。さらに、通気開口４３を外側から塞ぐように、フィン４２がシート本体４４に縫合部４６によって固定されている。そして、フィン４２は、第２の辺部２ｂ側の遊端部４２ａが縫合されていないので、シート本体４４に対して遊離し、この遊離部分が風抜け口Ｓになっている。
【００３７】
なお、この雨よけシート４０にあっては、雨よけシート１と同等な構成部分に同一符号を付して、その説明は省略する。
【００３８】
本発明に係る雨よけシート１，４０は、鉄骨軸組構造の建物に限らず、木造や鉄筋コンクリート造の建物についても適用できることは言うまでもない。継ぎ目隠し片７は、左右の何れであってもよい。
【００３９】
開口封鎖部２１，４１は、通気孔２１ａ，４１ａがメッシュ状に配列されていなくても、フィン２２，４２の遊端部２２ａ，４２ａが通気開口２０，４３から内側に入り難くなるものであればよい。例えば、開口封鎖部２１，４１の通気孔２１ａ，４１ａは、多数の丸孔がパンチングされたものであっても、編み目ではなくても、縦又は横又は斜めのスリット状であってもよい。
【符号の説明】
【００４０】
Ａ…躯体、Ｂ…足場、１，４０…雨よけシート、２，４４…シート本体、２ａ…第１の辺部、２ｂ…第２の辺部、２ｃ…第３の辺部、２ｄ…第４の辺部、３…磁石、７…繋ぎ目隠し片、７ａ…切り込み部、８…面ファスナ、８ａ，８ｂ…ファスナ部、１２…幕板(磁性体部)、１４，１５…ハトメ、２０，４３…通気開口、２１，４１…開口封鎖部、２１ａ，４１ａ…通気孔、２２，４２…フィン、３１…横桟（水平繋ぎ部材）、３５…縦桟（建地部材）、Ｓ…風抜け口。
【図１】
2011042969.tif 000003
【図２】
2011042969.tif 000004
【図３】
2011042969.tif 000005
【図４】
2011042969.tif 000006
【図５】
2011042969.tif 000007
【図６】
2011042969.tif 000008